(57)【特許請求の範囲】
【請求項１】
一次コイル（２１）と二次コイル（２２）を有するトランス（２）と、
前記トランス（２）の前記一次コイル（２１）側に電気的に接続された一次側回路を構成する一次側回路部（４）と、
前記トランス（２）の前記二次コイル（２２）側に電気的に接続された二次側回路を構成する二次側回路部（５）と、
前記二次側回路部（５）に電気的に接続されたチョークコイル（３）を備える電力変換装置（１）において、
前記一次側回路部（４）と前記二次側回路部（５）は一体化されて複合半導体部品（６）を構成しており、
前記トランス（２）は、前記複合半導体部品（６）に積層されて第１積層領域（６１）を構成しており、
前記チョークコイル（３）は、前記複合半導体部品（６）に積層されて第２積層領域（６２）を構成していること、
を特徴とする電力変換装置（１）。
【請求項２】
前記トランス（２）、前記一次側回路部（４）、前記二次側回路部（５）及び前記チョークコイル（３）を電気的に接続する複数の接続部材（７）を備え、
前記複数の接続部材（７）の少なくとも一部は、前記トランス（２）および前記チョークコイル（３）が積層されている方向における前記複合半導体部品（６）の投影面内に配置されていること、
を特徴とする請求項１に記載の電力変換装置（１）。
【請求項３】
前記複数の接続部材（７）の少なくとも一部は、前記トランス（２）及び前記チョークコイル（３）の少なくともいずれかと前記複合半導体部品（６）によって囲まれた領域内に配置されていること、
を特徴とする請求項２に記載の電力変換装置（１）。
【請求項４】
前記複数の接続部材（７）は、前記トランス（２）と前記一次側回路部（４）を電気的に接続する一次側接続部材（７２）、前記チョークコイル（３）と前記二次側回路部（５）を電気的に接続する二次側接続部材（７３）、前記トランス（２）と前記二次側回路部（５）を電気的に接続する中間接続部材（７１）を備えており、
前記中間接続部材（７１）は前記第１積層領域（６１）における前記トランス（２）および前記チョークコイル（３）が積層されている方向に直交する平面方向の側面に対向し、なおかつ、前記第２積層領域（６２）における前記平面方向の側面に対向する位置に配置され、
前記一次側接続部材（７２）は前記第１積層領域（６１）における前記トランス（２）および前記チョークコイル（３）が積層されている方向と前記平面方向との双方に直交する方向の側面に対向する位置に配置され、
前記二次側接続部材（７３）は前記第２積層領域（６２）における前記トランス（２）および前記チョークコイル（３）が積層されている方向と前記平面方向との双方に直交する方向の側面に対向する位置に配置されていること、
を特徴とする請求項２又は３に記載の電力変換装置（１）。
【請求項５】
請求項２乃至４に記載の電力変換装置（１）に直流電力を供給する直流電源（１０）と前記一次側回路部（４）とを電気的に接続する一次直流配線（１００）を備え、
前記複数の接続部材（７）は、前記トランス（２）と前記一次側回路部（４）を電気的に接続する一次側接続部材（７２）、前記トランス（２）と前記二次側回路部（５）を電気的に接続する中間接続部材（７１）を備えており、
前記一次直流配線（１００）と、前記一次側接続部材（７２）および前記中間接続部材（７１）は、前記第１積層領域（６１）を挟んで反対側に配置されていること、
を特徴とする請求項２乃至４のいずれか１項に記載の電力変換装置（１）。
【発明の詳細な説明】
【技術分野】
【０００１】
本発明は、電力変換装置に関する。
【背景技術】
【０００２】
ハイブリッド自動車や電気自動車等には、直流電力の電圧を異なる電圧に変換するための電力変換装置であるＤＣ−ＤＣコンバータが搭載されている。ＤＣ−ＤＣコンバータは、トランス、一次側回路部品、二次側回路部品、チョークコイル等の複数の電子部品を有する。このようなＤＣ−ＤＣコンバータとしては、例えば特許文献１に開示されているものがある。特許文献１に開示されているＤＣ−ＤＣコンバータは、複数の電子部品をベースプレート上に平面的に並べて配置している。
【先行技術文献】
【特許文献】
【０００３】
【特許文献１】特開２００７−２２１９１９号公報
【発明の概要】
【発明が解決しようとする課題】
【０００４】
しかしながら、特許文献１に記載のＤＣ−ＤＣコンバータのように、複数の電子部品がベースプレート上に並べて配置されている場合、ベースプレートの平面方向に複数の電子部品を配置するための配置スペースを確保する必要がある。そのため、ベースプレートの平面方向においてＤＣ−ＤＣコンバータが大型化しやすいという問題がある。
【０００５】
本発明は、かかる問題に鑑みてなされたものであり、小型化が可能な電力変換装置を提供しようとするものである。
【課題を解決するための手段】
【０００６】
本発明は、一次コイルと二次コイルを有するトランスと、前記トランスの前記一次コイル側に電気的に接続された一次側回路を構成する一次側回路部と、前記トランスの前記二次コイル側に電気的に接続された二次側回路を構成する二次側回路部と、前記二次側回路部に電気的に接続されたチョークコイルを備える電力変換装置において、前記一次側回路部と前記二次側回路部は一体化されて複合半導体部品を構成しており、前記トランスは、前記複合半導体部品に積層されて第１積層領域を構成しており、前記チョークコイルは、前記複合半導体部品に積層されて第２積層領域を構成していること、を特徴とする電力変換装置である。
【発明の効果】
【０００７】
本発明の電力変換装置は、トランス及びチョークコイルは複合半導体部品に積層されて、それぞれ第１積層領域および第２積層領域を構成している。そのため、トランス、チョークコイルおよび複合電子部品をすべてベースプレートの平面方向に並べて配置する構成と比較して、トランス及びチョークコイルの配置スペースを省略できる。したがって、ベースプレートの平面方向における電力変換装置の小型化が可能となる。
【図面の簡単な説明】
【０００８】
【図１】実施例１における、電力変換装置の説明図。
【図２】図１におけるＡ矢視図。
【図３】実施例１における、電力変換装置の回路図。
【図４】実施例２における、電力変換装置の説明図。
【図５】図４におけるＢ矢視図。
【図６】実施例３における、電力変換装置の説明図。
【図７】図６におけるＣ矢視図。
【図８】他の実施例における電力変換装置の説明図。
【図９】他の実施例における電力変換装置の説明図。
【図１０】他の実施例における電力変換装置の説明図。
【図１１】他の実施例における電力変換装置の説明図。
【図１２】他の実施例における電力変換装置の説明図。
【図１３】他の実施例における電力変換装置の説明図。
【図１４】他の実施例における電力変換装置の説明図。
【実施例】
【０００９】
（実施例１）
本実施例における電力変換装置について、図１〜図３を用いて説明する。
【００１０】
本実施例における電力変換装置１は、直流電源から供給される直流電圧を異なる電圧に変換するためのＤＣ−ＤＣコンバータ１である。ＤＣ−ＤＣコンバータ１は、図１に示すように、トランス２、一次側回路部４、二次側回路部５、チョークコイル３、複数の接続部材７、一次直流配線１００および二次直流配線３１を有する。トランス２は、入力された交流電力を変圧するためのものであり、一次コイル２１および２次コイル２２を有する。一次側回路部４とトランス２、トランス２と二次側回路部５、二次側回路部５とチョークコイル３はそれぞれ電気的に接続されている。本実施例における接続部材７は、導電性部材からなり、一次側回路部４とトランス２を電気的に接続する一次側接続部材７２、トランス２と二次側回路部５を電気的に接続する中間接続部材７１及び、二次側回路部５とチョークコイル３を電気的に接続する二次側接続部材７３を有する。一次直流配線１００は、直流電源１０（図３参照）と一次側回路部４を電気的に接続している。二次直流配線３１は、チョークコイル３と低圧直流電源１３を電気的に接続している。一次側接続部材７２および中間接続部材７１は交流配線であり、一次直流配線、二次直流配線および二次側接続部材７３は直流配線である。
【００１１】
次に、ＤＣ−ＤＣコンバータ１における電圧変換回路の回路図について図３を用いて説明する。本実施例の電圧変換回路は、高圧直流電源１０、一次側回路部４、トランス２、二次側回路部５、チョークコイル３、平滑コンデンサ１１、１２及び低圧直流電源１３を有する。一次側回路部４は、高圧直流電源１０の正極および負極と、一次直流配線１００によって電気的に接続されている。一次側回路部４は、４個のスイッチング素子１１０を有しており、これら４つのスイッチング素子１１０によってＨブリッジ回路を構成している。一次側回路部４の出力端子７２は、トランス２に接続されている。
【００１２】
トランス２は、一次コイル２１と二次コイル２２を有する。一次側回路部４の出力端子７２は、一次コイル２１に接続されている。また、二次コイル２２の出力端子７１は、二次側回路部５に接続されている。二次コイル２２のセンタータップ５２は、グランドに接続されている。
【００１３】
二次側回路部５は、２個のダイオード１１１を有している。二次側回路部５の出力端子７３はチョークコイル３に接続されている。そして、チョークコイル３の出力端子３１とグランドとの間には平滑コンデンサ１２が接続されている。また、チョークコイル３の出力端子３１には、低圧直流電源１３が接続されている。
【００１４】
本回路の動作としては、制御回路基板（図示せず）によって一次側回路部４のスイッチング素子１１０の動作を制御することにより、高圧直流電源１０から一次直流配線１００を通じて供給される直流電圧を交流の一次電圧に変換し、一次コイル２１に印加する。そして、一次コイル２１および二次コイル２２によって、交流に変換された一次電圧を降圧して二次電圧を発生させる。次に、二次側回路部５のダイオード１１１を用いて、二次コイル２２の出力交流電流を整流し、直流電力とする。チョークコイル３を用いて整流された出力電流は平滑化される。また、平滑コンデンサ１２を用いて、二次側回路部５の出力電圧を平滑化している。なお、本実施例における電力変換装置１の回路構成は図３に限定されるものではなく、たとえば一次側回路部４のスイッチング素子１１０の個数は図３に限定されるものではなく、ハーフブリッジ回路であってもよい。
【００１５】
次に、本実施例の要部について説明する。
【００１６】
図１に示すように、一次側回路部４と二次側回路部５は、樹脂によって一体的に封止されて複合半導体部品６を構成している。なお、一次側回路部４と二次側回路部５は、一つの筐体内に収めることで一体化してもよい。複合半導体部品６は金属製のベースプレート８上に固定されている。以下、ベースプレート８の法線方向を積層方向Ｚと称し、図１におけるベースプレート８の平面方向を平面方向Ｘと称する。トランス２と複合半導体部品６は積層方向Ｚに積層されて第１積層領域６１を構成している。チョークコイル３と複合半導体部品６は積層方向Ｚに積層されて第２積層領域６２を構成している。具体的には、図１に示すように、積層方向Ｚにおいて、トランス２と一次側回路部４が一直線上に配置されており、チョークコイル３と二次側回路部５が一直線上に配置されている。トランス２が積層されている方向とチョークコイル３が積層されている方向は互いに平行な方向である。また、積層方向Ｚにおいて、複合半導体部品６のベースプレート８と反対側にはトランス２及びチョークコイル３が積層されていない非積層領域６３が存在している。なお、本明細書中において、非積層領域６３が、トランス２及びチョークコイル３の少なくともいずれかと複合半導体部品６によって囲まれた領域に相当する。
【００１７】
一次側接続部材７２の一端は、一次側回路部４のベースプレート８と反対側の一面に接続されており、他端は、トランス２の第２積層領域６２と対向する側面に接続されている。中間接続部材７１の一端は、二次側回路部５のベースプレート８と反対側の一面に接続されており、他端は、トランス２の第２積層領域６２と対向する側面に接続されている。二次側接続部材７３の一端は、二次側回路部５のベースプレート８と反対側の一面に接続されており、他端は、チョークコイル３の第１積層領域６１と対向する側面に接続されている。一次直流配線１００は、一次側回路部４の第２積層領域６２と反対側の側面に接続されている。二次直流配線３１は、チョークコイル３の第１積層領域６１と反対側の側面に接続されており、領域Ｓ３内を通過するように配置されている。一次直流配線１００と、一次側接続部材７２および中間接続部材７１は、第１積層領域６１を挟んで反対側に配置されている。また、二次直流配線３１と、一次側接続部材７２および中間接続部材７１は、第２積層領域６２を挟んで反対側に配置されている。
【００１８】
一次側接続部材７２、二次側接続部材７３及び中間接続部材７１は、非積層領域６３内に配置されている。具体的には、トランス２、チョークコイル３および複合半導体部品６によって囲まれた領域Ｓ１内に収まるように配置されている。また、図２に示すように、トランス２、チョークコイル３、一次側接続部材７２、二次側接続部材７３及び中間接続部材７１は、積層方向Ｚにおける複合半導体部品６の投影面内に収まるように配置されている。なお、接続部材７は、導電性のバスバで構成してもよいし、コイル等の端子であってもよい。
【００１９】
次に、本実施例の電力変換装置１の作用効果について説明する。
【００２０】
（１）トランス２及びチョークコイル３は複合半導体部品６に積層されてそれぞれ第１積層領域６１および第２積層領域６２を構成している。そのため、トランス２、チョークコイル３および複合半導体部品６がベースプレート８上に平面方向Ｘに並んで配置されている構成と比較して、平面方向Ｘにおけるトランス２およびチョークコイル３を配置するためのスペースを省略できる。したがって、平面方向Ｘにおける電力変換装置１の小型化が可能となる。
【００２１】
（２）トランス２、チョークコイル３、一次側接続部材７２、二次側接続部材７３及び中間接続部材７１は、積層方向Ｚにおける複合半導体部品６の投影面内に収まるように配置されている。そのため、平面方向Ｘにおける電力変換装置１の体格は複合半導体部品６の体格と同等となる。したがって、トランス２、チョークコイル３、一次側接続部材７２、二次側接続部材７３及び中間接続部材７１のうちいずれか一つでも複合半導体部品６の投影面外に配置されている構成と比較して、電力変換装置１の小型化が可能となる。
【００２２】
（３）一次側接続部材７２、二次側接続部材７３及び中間接続部材７１は、非積層領域６３内に収まるように配置されている。そのため、積層方向Ｚにおける電力変換装置１の体格は、第１積層領域６１又は第２積層領域６２の体格と同等となる。したがって、一次側接続部材７２、二次側接続部材７３及び中間接続部材７１のうちいずれか一つでも非積層領域６３の外に配置されている構成と比較して、電力変換装置１の小型化が可能となる。
【００２３】
（実施例２）
次に、実施例２について図４、図５に基づき説明する。ただし、前記実施例１と実質的に同一の部分については説明を省略又は簡略化し、主として前記実施例１と異なる部分について説明する。
【００２４】
本実施例においては、一次側接続部材７２の一端は、一次側回路部４のベースプレート８と反対側の一面に接続されており、他端は、トランス２の第２積層領域６２と反対側の側面に接続されている。中間接続部材７１の一端は、二次側回路部５のベースプレート８と反対側の一面に接続されており、他端は、トランス２の第２積層領域６２と対向する側面に接続されている。二次側接続部材７３の一端は、二次側回路部５のベースプレート８と反対側の一面に接続されており、他端は、チョークコイル３の第１積層領域６１と反対側の側面に接続されている。
【００２５】
一次側接続部材７２、二次側接続部材７３及び中間接続部材７１は、非積層領域６３内に配置されている。具体的には、一次側接続部材７２は、第２積層領域６２と反対側かつ、トランス２及び複合半導体部品６によって囲まれた領域Ｓ２内に収まるように配置されている。また、二次側接続部材７３は、第１積層領域６１と反対側かつ、チョークコイル３および複合半導体部品６によって囲まれた領域Ｓ３内に収まるように配置されている。
【００２６】
本例の電力変換装置１においても、実施例１と同様の作用効果を得ることができる。
【００２７】
（実施例３）
次に、実施例３について図６、図７に基づき説明する。ただし、前記実施例１及び実施例２と実質的に同一の部分については説明を省略又は簡略化し、主として前記実施例１及び実施例２と異なる部分について説明する。
【００２８】
図６に示すように、本実施例における電力変換装置１は、トランス２、チョークコイル３、複合半導体部品６及び複数の接続部材７を内部に収容するケース９を備えている。
【００２９】
ケース９は、第１積層領域６１と隣接する第１側壁部９１、第２積層領域６２と隣接する第２側壁部９２、第１側壁部９１と第２側壁部９２を繋ぐ２つの中継側壁部９４、第１側壁部９１と第２側壁部９２と２つの中継側壁部９４によって囲まれた空間を閉塞する底壁部９３を有する。
【００３０】
複合半導体部品６は、底壁部９３に固定されており、第１側壁部９１、第２側壁部９２および２つの中継側壁部９４のそれぞれの内壁と当接している。トランス２およびチョークコイル３は、第１側壁部９１、第２側壁部９２及び２つの中継側壁部９４から離間している。
【００３１】
本実施例において一次側接続部材７２は、トランス２と直接接続されるトランス接続部７２１、トランス接続部７２１に連続して形成されている一次側中継部７２２および一次側中継部７２２に連続して形成され、一次側回路部４に直接接続される一次側回路接続部７２３を備える。トランス接続部７２１の一端はトランス２の第２積層領域６２と反対側の側面に接続されており、平面方向Ｘに延設されて他端は第１側壁部９１に挿入されている。一次側中継部７２２の一端は、トランス接続部７２１の第１側壁部９１に挿入されている側の端部と接続され、積層方向Ｚに延設されて他端が一次側回路接続部７２３の一端に接続されている。一次側中継部７２２は、ケース９の第１側壁部９１に完全封止されている。一次側回路接続部７２３の一端は、一次側中継部７２２のトランス接続部７２１が接続されている側とは反対側の端部に接続されており、平面方向Ｘに延設されて他端が一次側回路部４の第１側壁部９１と当接している側の側面に接続されている。
【００３２】
二次側接続部材７３は、チョークコイル３と直接接続されるチョークコイル接続部７３１、チョークコイル接続部７３１に連続して形成されている二次側中継部７３２および二次側中継部７３２に連続して形成され、二次側回路部５に直接接続される二次側回路接続部７３３を備える。チョークコイル接続部７３１の一端はチョークコイル３の第１積層領域６１と反対側の側面に接続されており、平面方向Ｘに延設されて他端は第２側壁部９２に挿入されている。二次側中継部７３２の一端は、チョークコイル接続部７３１の第２側壁部９２に挿入されている側の端部と接続され、積層方向Ｚに延設されて他端が二次側回路接続部７３３の一端に接続されている。二次側中継部７３２は、ケース９の第２側壁部９２に完全封止されている。二次側回路接続部７３３の一端は、二次側中継部７３２のチョークコイル接続部７３１が接続されている側とは反対側の端部に接続されており、平面方向Ｘに延設されて他端が二次側回路部５の第２側壁部９２と当接している側の側面に接続されている。
【００３３】
中間接続部材７１の一端は、二次側回路部５の底壁部９３と反対側の一面に接続されており、他端は、トランス２の第２積層領域６２と対向する側面に接続されている。
【００３４】
一次側接続部材７２、二次側接続部材７３の一部及び中間接続部材７１は、非積層領域６３内に配置されている。具体的に、トランス接続部７２１の一部は領域Ｓ２に配置されている。チョークコイル接続部７３１の一部は領域Ｓ３に配置されている。
【００３５】
図６に示すように、トランス２、チョークコイル３、一次側接続部材７２、二次側接続部材７３及び中間接続部材７１は、平面方向Ｘにおけるケース９の外形内に収まるように配置されている。また、図７に示すように、トランス２、チョークコイル３、一次側接続部材７２、二次側接続部材７３及び中間接続部材７１は、積層方向Ｚにおけるケース９の投影面内に収まるように配置されている。なお、本実施例における図６、７においては、一次直流配線１００および二次直流配線３１は省略している。
【００３６】
次に、本実施例における電力変換装置１の作用効果について説明する。
【００３７】
本実施例の電力変換装置１は、一次側接続部材７２及び二次側接続部材７３の一部がケース９に封止されている。また、一次側接続部材７２、二次側接続部材７３及び中間接続部材７１は、平面方向Ｘにおけるケース９の外形内および積層方向Ｚにおけるケース９の投影面内に収まるように配置されている。このような構成にすることにより、一次側接続部材７２、二次側接続部材７３及び中間接続部材７１のすべてを非積層領域６３内に収められるだけのスペースが十分確保できない場合であっても、接続部材７を配置するためにケース９のスペースを活用することができる。そのため、ケース９内部において接続部材７を配置するためのスペースを空ける構成と比較して、ケース９を備えた電力変換装置１の体格が大きくなることはない。したがって、ケース９内部において接続部材７を配置するためのスペースを空ける構成と比較して、電力変換装置１の小型化が可能となる。
【００３８】
その他、実施例１と同様の作用効果を得ることができる。
【００３９】
（他の実施例）
なお、本発明は上記実施例に限定されるものではなく、本発明の技術的範囲に属する限り、以下のように変形させても良い。
【００４０】
・上記実施例１においては、一次側接続部材７２、二次側接続部材７３及び中間接続部材７１はすべて領域Ｓ１内に収まるように配置されているが、一部が領域Ｓ１外に配置されていてもよい。たとえば、図８に示すように、二次側接続部材７３の一端がチョークコイル３の第１積層領域６１と反対側の側面に接続されていてもよい。この場合、一次側接続部材７２は領域Ｓ１内に収まるように配置され、二次側接続部材７３は領域Ｓ３内に収まるように配置されている。一方、一次側接続部材７２が領域Ｓ２内に収まるように配置され、二次側接続部材７３は領域Ｓ１内に収まるように配置されていてもよい。本変形例の場合、直流配線である一次直流配線１００と、交流配線である一次側接続部材７２および中間接続部材７１は、第１積層領域６１を挟んで反対側に配置されている。また、直流配線である二次直流配線３１および二次側接続部材７３と、交流配線である一次側接続部材７２および中間接続部材７１は、第２積層領域６２を挟んで反対側に配置されている。そのため、第１積層領域６１および第２積層領域６２がノイズ遮蔽の役割を果たし、一次側接続部材７２および中間接続部材７１に流れる交流電流に起因するノイズが一次直流配線１００および二次直流配線３１に影響を及ぼすことを抑制することができる。
【００４１】
・上記実施例１においては、一次側接続部材７２、二次側接続部材７３及び中間接続部材７１はすべて非積層領域６３内に収まるように配置されているが、一部が非積層領域６３外を通過するように配置されていてもよい。たとえば、図９に示すように、一次側接続部材７２の一端がトランス２の複合半導体部品６と反対側の一面に接続されており、二次側接続部材７３の一端がチョークコイル３の複合半導体部品６と反対側の一面に接続されている構成であってもよい。
【００４２】
・上記実施例においては、一次側接続部材７２、二次側接続部材７３及び中間接続部材７１はすべて第１積層領域６１および第２積層領域６２外に配置されているが、図１０に示すように、一次側接続部材７２が第１積層領域６１内に配置されており、二次側接続部材７３が第２積層領域６２内に配置されていても良い。なお、図１０において、トランス２およびチョークコイル３は複合半導体部品６から離間しているが、当接した状態で接続してもよい。
【００４３】
・上記実施例においては、トランス２と一次側回路部４、チョークコイル３と二次側回路部５が積層方向Ｚにおいてそれぞれ一直線上に配置されているが、図１１に示すように、トランス２と二次側回路部５、チョークコイル３と一次側回路部４が積層方向Ｚにおいてそれぞれ一直線上に配置されていてもよい。この場合、接続部材７の配置の一例としては、一次側接続部材７２、二次側接続部材７３を領域Ｓ１内に、中間接続部材７１を領域Ｓ３内に収まるように配置することができる。また、接続部材７の接続方法の一例としては、一次側接続部材７２および二次側接続部材７３の接続態様は上記実施例１と同様であり、中間接続部材７１は、一端がトランス２の第２積層領域６２と反対側の側面と接続され、他端が二次側回路部５のベースプレート８と反対側の一面に接続される態様が考えられる。
【００４４】
・上記実施例３においては、一次側接続部材７２の一部が第１側壁部９１に、二次側接続部材７３の一部が第２側壁部９２に封止されているが、一次側接続部材７２および二次側接続部材７３の一方が第１側壁部９１もしくは第２側壁部９２に封止されていなくてもよい。たとえば、図１２に示すように、一次側接続部材７２の一部が第１側壁部９１内に封止されており、二次側接続部材７３が領域Ｓ３内に収まるように配置されていてもよい。
【００４５】
・上記実施例においては、トランス２とチョークコイル３が互いに離間して配置されているが、互いが直接又は間接的に接触するように配置されていても良い。なお、図１２においては、一次直流配線１００および二次直流配線３１は省略している。
【００４６】
・上記実施例３においては、トランス２およびチョークコイル３はケース９と一部当接しているが、離間していてもよい。また、一部離間している部分は当接していてもよい。たとえば、非積層領域６３における領域Ｓ２およびＳ３がない場合であってもよい。
【００４７】
・上記実施例においては、積層方向Ｚにおいて、トランス２及びチョークコイル３は一次側回路部４もしくは二次側回路部５と一直線上に配置されるよう配置されているが、積層方向Ｚからみたときに、互いが平面方向Ｘにずれた状態で配置されていてもよい。
【００４８】
・上記実施例においては、接続部材７は、平面方向Ｘにおける第１積層領域６１又は第２積層領域６２の側面に対向する位置に配置されているが、図１３に示すように一次側接続部材７２が、平面方向Ｘおよび積層方向Ｚの双方に直交する方向における第１積層領域６１の側面に対向する位置に配置されていてもよい。また、図１４に示すように、二次側接続部材７３が、平面方向Ｘおよび積層方向Ｚの双方に直交する方向における第２積層領域６２の側面に対向する位置に配置されていてもよい。
【００４９】
・上記実施例３においては、接続部材７の一部がケース９内に封止されているが、複合半導体部品６と第１側壁部９１、第２側壁部９２および中継側壁部９４の少なくともいずれか一つとが離間しており、その離間したスペースに配置されていてもよい。
【００５０】
・上記実施例においては、一次直流配線１００および二次直流配線３１は、それぞれ第１積層領域６１および第２積層領域６２の並び方向Ｘにおける一次側回路部４およびチョークコイル３の側面に接続されているが、並び方向Ｘおよび積層方向Ｚの双方に直交する方向における一次側回路部４およびチョークコイル３の側面に接続されている場合や、積層方向Ｚにおける一次側回路部４およびチョークコイル３の反ベースプレート８側の側面に接続されていてもよい。
【００５１】
・上記実施例３においては、一次側接続部材７２および二次側接続部材７３の一部はそれぞれ第１側壁部９１および第２側壁部９２に封止されているが、中継側壁部９４に封止されていてもよい。
【００５２】
・上記実施例においては、トランス２およびチョークコイル３は、積層方向Ｚにおける複合半導体部品６の投影領域内に収まるように配置されているが、トランス２およびチョークコイル３の一部が複合半導体部品６の投影領域外に配置されていてもよい。
【符号の説明】
【００５３】
１  電力変換装置
２  トランス
３  チョークコイル
４  一次側回路部
５  二次側回路部
６  複合半導体部品
６１  第１積層領域
６２  第２積層領域
６３  非積層領域
７  接続部材
７１  中間接続部材
７２  一次側接続部材
７３  二次側接続部材
９  ケース
９１  第１側壁部
９２  第２側壁部
９３  底壁部
【図１】
0006264212.tif 000002
【図２】
0006264212.tif 000003
【図３】
0006264212.tif 000004
【図４】
0006264212.tif 000005
【図５】
0006264212.tif 000006
【図６】
0006264212.tif 000007
【図７】
0006264212.tif 000008
【図８】
0006264212.tif 000009
【図９】
0006264212.tif 000010
【図１０】
0006264212.tif 000011
【図１１】
0006264212.tif 000012
【図１２】
0006264212.tif 000013
【図１３】
0006264212.tif 000014
【図１４】
0006264212.tif 000015